(57)【要約】【課題】  操作ボタンを追加することなく簡単な操作で、一定の特徴を有するデータを視認しやすく表示することができるようにすること。【解決手段】  過去のラップデータを表示するリコールモードにおいて、操作ボタンＢの短押し操作が行われている場合、表示部１０１にラップデータを第１周期で送り表示し、操作ボタンＢの押し操作が継続して行われている場合には、ラップデータを前記第１周期よりも短い第２周期で早送り表示すると共に、前記ラップデータ中のベストラップのデータを表示する際に送りを停止して表示部１０１に表示する。【選択図】  図１
2010048666.tif 000002
【特許請求の範囲】
【請求項１】
複数の同種のデータを記憶する記憶手段と、表示手段と、操作手段と、前記操作手段が第１態様で操作されたとき前記複数のデータを第１周期で送り表示するように前記表示手段を制御し、前記操作手段が第２態様で操作されたとき前記複数のデータを前記第１周期よりも短い第２周期で送り表示するように前記表示手段を制御すると共に前記複数のデータ中の一定の特徴を有するデータを表示する際には送りを停止して表示するように前記表示手段を制御する制御手段とを備えて成ることを特徴とする携帯型電子機器。
【請求項２】
前記制御手段は、前記操作手段が前記第２態様で操作されている場合、前記一定の特徴を有するデータを前記第２周期よりも長い時間送りを停止して表示した後、次のデータの表示を行うように前記表示手段を制御することを特徴とする請求項１記載の携帯型電子機器。
【請求項３】
前記制御手段は、前記一定の特徴を有するデータを前記第２周期よりも長い時間送りを停止して表示している間、点滅表示するように前記表示手段を制御することを特徴とする請求項２記載の携帯型電子機器。
【請求項４】
前記データはグループに分けられて成り、前記一定の特徴を有するデータは前記各グループにおいて一定の特徴を有するデータであることを特徴とする請求項１乃至３のいずれか一に記載の携帯型電子機器。
【請求項５】
前記データはラップデータであり、前記一定の特徴を有するデータはベストラップであることを特徴とする請求項１乃至４のいずれか一に記載の携帯型電子機器。
【発明の詳細な説明】
【技術分野】
【０００１】
本発明は、複数のデータを順次表示する機能を有する携帯型電子機器に関する。
【背景技術】
【０００２】
従来から、ストップウオッチ機能を有する携帯型電子機器をはじめとして、複数のデータを順次表示する機能を有する種々の携帯型電子機器が開発されている。
例えば、途中経過時間計測（ＬＡＰ）が可能なストップウォッチ機能付電子機器において、過去の計測結果を確認するための表示をさせる場合、腕時計のような小型携帯機器などにおいては、操作ボタンの短押しでデータを１つずつ送って表示し、操作ボタンの長押しでデータを早送り表示するように１つのボタンで操作するものが一般的である。
【０００３】
しかしながら、前記従来のような操作方法では、過去のＬＡＰ計測結果の最も速いラップ（ベストラップ（ＢＥＳＴ  ＬＡＰ））がどこに存在しているかユーザは判断できないため、データを早送り表示しながらベストラップを調べようとする際、所望のデータが早送り表示された時点で該データ表示を停止させるのは難しいという問題がある。
これを解決するために特許文献１記載の発明のように、送りすぎた分のデータを戻して表示する機能を追加すると、操作ボタン数が増えるため小型化が困難になる上、コスト高になってしまうという問題がある。
【０００４】
また、特許文献２記載の発明のように、電子時計の各種機能を使用することによって入力される各種データを、電子時計を制御するコンピュータが読み取り可能な記憶媒体に，コンピュータが記憶し、記憶した各種データ量に応じて各種データの表示時間を前記コンピュータが切り換え、切り換えられた表示時間に従ってコンピュータが各種データの画面への表示を順に切り換えて表示するようにする方法では、各データのデータ量毎に表示時間を設定しなければならないため、表示時間を決定するための処理が煩雑になるという問題がある。
前記問題は、ストップウオッチ機能を有する携帯型電子機器のみの問題ではなく、複数のデータを順次表示する機能を有する携帯型電子機器において一定の特徴を有するデータを表示する場合に共通の問題である。
【０００５】
【特許文献１】特開平８−３０６３６号公報
【特許文献２】特開２００２−３５０５６９号公報
【発明の開示】
【発明が解決しようとする課題】
【０００６】
本発明は、前記問題に鑑み成されたもので、操作ボタンを追加することなく簡単な操作で、一定の特徴を有するデータを視認しやすく表示することができるようにすることを課題としている。
【課題を解決するための手段】
【０００７】
本発明によれば、複数の同種のデータを記憶する記憶手段と、表示手段と、操作手段と、前記操作手段が第１態様で操作されたとき前記複数のデータを第１周期で送り表示するように前記表示手段を制御し、前記操作手段が第２態様で操作されたとき前記複数のデータを前記第１周期よりも短い第２周期で送り表示するように前記表示手段を制御すると共に、前記複数のデータ中の一定の特徴を有するデータを表示する際には送りを停止して表示するように前記表示手段を制御する制御手段とを備えて成ることを特徴とする携帯型電子機器が提供される。
制御手段は、操作手段が第１態様で操作されたとき各データを第１周期で送り表示するように表示手段を制御し、前記操作手段が第２態様で操作されたとき前記複数のデータを前記第１周期よりも短い第２周期で送り表示するように前記表示手段を制御すると共に、前記複数のデータ中の一定の特徴を有するデータを表示する際には送りを停止して表示するように前記表示手段を制御する。
【０００８】
ここで、前記制御手段は、前記操作手段が前記第２態様で操作されている場合、前記一定の特徴を有するデータを前記第２周期よりも長い時間送りを停止して表示した後、次のデータの表示を行うように前記表示手段を制御するように構成してもよい。
また、前記制御手段は、前記一定の特徴を有するデータを前記第２周期よりも長い時間送りを停止して表示している間、点滅表示するように前記表示手段を制御するように構成してもよい。
また、前記データはグループに分けられて成り、前記一定の特徴を有するデータは前記各グループにおいて一定の特徴を有するデータであるように構成してもよい。
また、前記データはラップデータであり、前記一定の特徴を有するデータはベストラップであるように構成してもよい。
【発明の効果】
【０００９】
本発明の携帯型電子機器によれば、操作ボタンを追加することなく簡単な操作で、一定の特徴を有するデータを視認しやすく表示することが可能になる。
【発明を実施するための最良の形態】
【００１０】
以下、本発明の実施の形態に係る携帯型電子機器について説明する。尚、各図において同一部分には同一符号を付している。
図１は、本発明の実施の形態に係る携帯型電子機器の外観図で、ストップウオッチ機能付き電子腕時計の例を示している。
電子腕時計は、複数（本実施の形態では４つ）の操作ボタンＡ〜Ｄ、表示部１０１を備えている。また、電子腕時計は、所定地点間の走行時間であるラップや出発点から各所定地点までの走行時間であるスプリットを測定するモードである測定モード（ＳＴＷ（ストップウオッチ））と、測定した過去のラップやスプリットを表示するモードであるリコールモード（ＲＥＣＡＬＬ）の２種類の動作モードを備えている。
【００１１】
図１（ａ）はリコールモードの表示態様を示す図、同図（ｂ）はリコールモードにおいて、一定の特徴を有するデータとして、最も速いラップ（ベストラップ）を表示した（「ＢＥＳＴ」がベストラップの表示であることを示している。）状態を示す図である。
表示部１０１には、計測モード、リコールモードを各々表す記号ＳＴＷ、ＲＥＣＡＬＬが動作モード表示１０２として表示されており、現在の動作モードを表す動作モード表示はアンダーライン付きで表示されている。図１（ａ）、（ｂ）の表示はともにリコールモードであることが示されている。また、表示部１０１には、後述するようにファイル番号表示１０３、ラップ番号表示１０４、計測時間表示１０５が表示され又、表示しているラップがベストラップの場合には図１（ｂ）のように、ベストラップ表示（ＢＥＳＴ）１０６が表示される。
【００１２】
図２は、図１のストップウオッチ機能付き電子腕時計のブロック図である。
図１及び図２において、ストップウオッチ機能付き電子腕時計は、複数（本実施の形態では４つ）の操作スイッチＡ２０５〜Ｄ２０８、中央処理装置（ＣＰＵ）２０１、表示部１０１、記憶部２０２、所定周波数の信号を発生する発振回路２０３、発振回路２０３からの信号を分周して計時の基準となる時計信号を出力する分周回路２０４を備えている。操作スイッチＡ２０５〜Ｄ２０８は、各々、操作ボタンＡ〜Ｄによって操作されるスイッチである。
尚、表示部１０１は表示手段を構成し、ＣＰＵ２０１は制御手段を構成し、記憶部２０２は記憶手段を構成している。また、操作ボタンＡ〜Ｄ及び操作スイッチＡ２０５〜Ｄ２０８は操作手段を構成している。
【００１３】
図３は、各操作ボタンＡ〜Ｄ（換言すれば操作スイッチ２０５Ａ〜２０８Ｄ）の機能を説明する表である。計測モードにおいて、（１）操作ボタンＡを操作することによって計測モードからリコールモードへの切替えを行うことができ、（２）操作ボタンＢを操作することによって計測開始やラップ（ＬＡＰ）の記録を行うことができ、（３）操作ボタンＣを操作することによって計測終了、計測データの記録（ファイル記録）及びリセットを行うことができ、（４）操作ボタンＤを操作することによってラップとスプリット（ＳＰＬＩＴ）の表示切替えを行うことができる。
【００１４】
また、リコールモードにおいては、（１）操作ボタンＡを操作することによってリコールモードから計測モードへの切替えを行うことができ、（２）操作ボタンＢを操作することによって表示するラップ番号を切替えることができ、（３）操作ボタンＣを操作することによってファイル番号を切替えることができ、（４）操作ボタンＤを操作することによってラップとスプリットの表示切替えを行うことができる。
【００１５】
図４は、記憶部２０２に記憶されているラップデータの例を示す表である。図４において、ラップデータには、過去の２つの走行（歩行も含む）の走行データが格納されている。ラップデータは、走行毎にグループ分けするために付与される番号であるファイル番号、各走行におけるラップの番号であるラップ（ＬＡＰ）番号、各ラップ番号のスプリット（ＳＰＬＩＴ）、ラップ（ＬＡＰ）、各走行（各ファイル）における最も速いラップであるベストラップ（ＢＥＳＴ−ＬＡＰ）であることを示すデータを含んでいる。各ファイルのベストラップには、それを表す記号「○」が付されている。このように、本実施の形態では、一定の特徴を有するデータとしてベストラップを用いているが、最も遅いラップ等、一定の特徴を有するデータは適宜選定できる。
【００１６】
図５及び図６は、本発明の実施の形態の処理を示すフローチャートである。尚、図１〜図６は、後述する各実施の形態に共通する図である。
図７は、本発明の第１の実施の処理を示すフローチャートである。以下、図１〜図７を用いて、本発明の第１の実施の形態の動作を説明する。
【００１７】
図５において、初期状態では計測モードにあり、ＣＰＵ２０１は分周回路２０４からの時計信号に基づいて計時動作を行う。この状態でＣＰＵ２０１が、操作ボタンＡが操作されたと判定すると（ステップＳ５０１）、表示部１０１を計測モードからリコールモードの表示画面に切替え、同時に、ファイル番号を最新のファイル番号（図４の例ではファイル番号２）にセットし又、ラップ番号を初期化してラップ番号１にセットし、該当データを表示した後、後述する処理ステップＳ６０１に移行する（ステップＳ５０２）。処理ステップＳ５０２では、図４のファイル番号２、ラップ番号１のデータ（ファイル番号１０３、ラップ番号１０４及びラップ）が、図１（ａ）に示す表示態様で表示される。
【００１８】
ＣＰＵ２０１は、処理ステップＳ５０１において操作ボタンＡは操作されておらず、操作ボタンＢが操作されたと判定した場合（ステップＳ５０３）、現在計測中と判定すると（ステップＳ５０４）、現在計測中のラップを記憶部２０２に記憶した後、処理ステップＳ５０１に戻る（ステップＳ５０５）。これにより、図４に示す記憶部２０２の表中には、ファイル番号、ラップ番号、スプリット、ラップが記憶される。
【００１９】
ＣＰＵ２０１は、処理ステップＳ５０４において、現在計測中ではないと判定すると、計測モードに入ってラップの計測動作を開始した後、処理ステップＳ５０１に戻る（ステップＳ５０６）。
ＣＰＵ２０１は、処理ステップＳ５０３において操作ボタンＢは操作されておらず、操作ボタンＣが操作されたと判定した場合（ステップＳ５０７）、現在計測中と判定すると（ステップＳ５０８）、計測を停止した後に処理ステップＳ５０１に戻る（ステップＳ５０９）。
【００２０】
ＣＰＵ２０１は、処理ステップＳ５０８において現在計測中ではないと判定した場合、計測を停止中と判定すると（ステップＳ５１０）、計測中のデータを零にリセットすると共にファイルを記憶部２０２に記憶して保存する（ステップＳ５１１）。このとき、ファイルに含まれる全てのラップデータが記憶されることになるが、この中で最も速いラップには図４のようにベストラップである旨の情報が付記されて記憶される。このようにして、ファイル毎にラップデータが記憶部２０２に記憶される。
ＣＰＵ２０１は、処理ステップＳ５１０において計測停止中ではないと判定すると、何らの処理も行わずに処理ステップＳ５０１に戻る（ステップＳ５１２）。
【００２１】
ＣＰＵ２０１は、処理ステップＳ５０７において操作ボタンＣは操作されておらず、操作ボタンＤが操作されたと判定した場合（ステップＳ５１３）、現在ラップ表示中のときには表示部１０１をスプリット表示に切替え（ステップＳ５１４、Ｓ５１５）、現在ラップ表示中ではないときには表示部１０１をラップ表示に切替えた後（ステップＳ５１４、Ｓ５１６）、処理ステップＳ５０１に戻る。また、ＣＰＵ２０１は、処理ステップＳ５１３において、操作ボタンＤが操作されなかったと判定したときは処理ステップＳ５０１に戻る。
【００２２】
ＣＰＵ２０１は、処理ステップＳ５０２によってリコールモードに移行した状態で、操作ボタンＡが操作されたと判定すると（ステップＳ６０１）、表示部１０１を計測モードの表示に切替えた後、処理ステップＳ５０１に戻る（ステップＳ６０２）。
ＣＰＵ２０１は、処理ステップＳ６０１において操作ボタンＡは操作されておらず、操作ボタンＢが短時間操作（短押し操作）されたと判定した場合（ステップＳ６０３）、ラップ番号を１加算して該当データを表示するように表示部１０１を制御した後、処理ステップＳ６０１に戻る（ステップＳ６０４）。このように、操作ボタンＢを第１態様の操作である短押し操作することにより、操作ボタンＢの操作周期に応じた第１周期で、ラップデータを遅送りして表示部１０１に表示させることができる。
【００２３】
ＣＰＵ２０１は、処理ステップＳ６０３において操作ボタンＢが短押し操作されずに長時間操作（長押し操作；第２態様の操作であり、前記短押し操作よりも所定時間以上操作時間が長い操作）されたと判定した場合、後述する処理ステップＳ７０１へ移行する（ステップＳ６０５）。
ＣＰＵ２０１は、処理ステップＳ６０５において操作ボタンＢが長押し操作されなかったと判定した場合、操作ボタンＣが操作されたと判定したときは（ステップＳ６０６）、現在のファイル番号から１減算して新たなファイル番号を算出すると共にラップ番号を１に初期化して、該当するデータを表示部１０１に表示させた後、処理ステップＳ６０１に戻る（ステップＳ６０７）。
【００２４】
ＣＰＵ２０１は、処理ステップＳ６０６において操作ボタンＣが操作されなかったと判定した場合、操作ボタンＤが操作されたと判定したとき（ステップＳ６０８）、現在ラップ表示中のときには表示部１０１をスプリット表示に切替え（ステップＳ６０９、Ｓ６１０）、現在ラップ表示中ではないときには表示部１０１をラップ表示に切替えた後（ステップＳ６０９、Ｓ６１１）、処理ステップＳ６０１に戻る。また、ＣＰＵ２０１は、処理ステップＳ６０８において、操作ボタンＤが操作されなかったと判定したときは処理ステップＳ６０１に戻る。
【００２５】
一方、ＣＰＵ２０１は、処理ステップＳ６０５において操作ボタンＢが長押し操作されたと判定した場合、以下のように、表示部１０１がラップデータの表示を早送り動作（表示早送り動作）するように制御する。
即ち、ＣＰＵ２０１は、定期タイマを動作状態に設定する（ステップＳ７０１）。定期タイマは、所定の早送り時間（ラップデータの表示を切替える周期（前記第１の周期よりも短い第２周期）であり、例えば０．５秒）を設定するためのタイマである。
次に、ＣＰＵ２０１は、操作ボタンＢが継続して操作されていないと判定した場合（ステップＳ７０２）、定期タイマの動作を停止した後、処理ステップＳ６０１に移行する（ステップＳ７０３）。これにより、操作ボタンＢを長押し操作していない場合は、ラップデータの表示早送り動作は終了する。
【００２６】
一方、ＣＰＵ２０１は、処理ステップＳ７０２において、操作ボタンＢが継続して長押し操作されていると判定した場合、定期タイマ割り込みが発生した、即ち、定期タイマが前記早送り時間カウントしたと判定すると（ステップＳ７０４）、現在表示しているラップデータのラップ番号に１加算して該当データを表示部１０１に表示させる（ステップＳ７０５）。これにより、前記早送り時間である第２周期で各ラップデータが順次表示部１０１に表示されることになる。
【００２７】
ＣＰＵ２０１は、表示されているラップデータがベストラップの場合には（ステップＳ７０６）、定期タイマを停止した後に処理ステップＳ６０１に戻る（ステップＳ７０７）。これにより、表示部１０１にはベストラップのラップデータが表示された状態で停止することになる。
ＣＰＵ２０１は、表示されているラップデータがベストラップでない場合には定期タイマを早送り時間に設定した後、処理ステップＳ７０２に戻る（ステップＳ７０８）。これにより、操作ボタンＢが操作されている間は、表示部１０１にはベストラップ以外のラップデータが早送り表示され、ベストラップのデータが到来したとき、ベストラップのラップデータが表示された状態で停止することになる。
【００２８】
以上のように、本第１の実施の形態によれば、過去のラップデータを表示するリコールモードにおいて、操作ボタンＢの短押し操作が行われている場合、表示部１０１にラップデータを短押し操作の周期に応じた第１周期で順次送り表示し、操作ボタンＢの押し操作が継続して行われている場合には、ラップデータを前記第１周期よりも短い第２周期で早送り表示すると共に前記ラップデータ中の一定の特徴を有するデータ（本実施の形態ではベストラップ）を表示する際に送りを停止して表示部１０１に表示するようにしている。
したがって、新たに専用の操作ボタンを追加することなく、簡単な操作で、ベストラップ等の一定の特徴を有するデータを視認しやすく表示することが可能になる。また、ベストラップ等のデータを早送り中でも一定の特徴を有するデータを視認しやすく表示できる。また、操作が簡単・容易である。
【００２９】
図８は、本発明の第２の実施の形態に係る携帯型電子機器のフローチャートである。本第２の実施の形態と前記第１の実施の形態は、処理ステップＳ７０１以降の処理が異なるのみであり、それ以外は同じである。
ＣＰＵ２０１は、図８の処理ステップＳ７０５において、現在表示しているラップデータのラップ番号に１加算して該当データを表示部１０１に表示させた後、表示されているラップデータがベストラップの場合には（ステップＳ７０６）、定期タイマに表示延長時間を設定して処理ステップＳ７０２に戻る（ステップＳ８０１）。前記表示延長時間は、前記早送り時間よりも長い時間に設定されている。ＣＰＵ２０１は、表示されているラップデータがベストラップでない場合には定期タイマを早送り時間に設定した後、処理ステップＳ７０２に戻る（ステップＳ７０８）。
【００３０】
これにより、操作ボタンＢを長押し操作することによって、表示部１０１には各ラップデータが早送りで表示されることになるが、ベストラップのラップデータは長時間表示されることになる。
したがって、新たに操作ボタンを追加することなく、簡単な操作で、ベストラップ等の一定の特徴を有するデータを視認しやすく表示することが可能になる等、前記第１の実施の形態と同様の効果を奏するばかりでなく、データを早送りさせながら完全に停止することなく一定の特徴を有するデータを視認しやすく表示できるため、データをより早く送ることが可能になる。
【００３１】
図９は、本発明の第３の実施の形態に係る携帯型電子機器のフローチャートである。本第３の実施の形態と前記第２の実施の形態は、処理ステップＳ７０１以降の処理が異なるのみであり、それ以外は同じである。
ＣＰＵ２０１は、図９の処理ステップＳ７０５において、現在表示しているラップデータのラップ番号に１加算して該当データを表示部１０１に表示させた後、表示されているラップデータがベストラップの場合には（ステップＳ７０６）、定期タイマに表示延長時間を設定し（ステップＳ８０１）、表示部１０１点滅表示するように制御を開始して処理ステップＳ７０２に戻る（ステップＳ９０１）。前記表示延長時間は、前記早送り時間よりも長い時間に設定されている。
【００３２】
ＣＰＵ２０１は、処理ステップＳ７０８において、表示されているラップデータがベストラップでない場合には定期タイマを早送り時間に設定し（ステップＳ７０８）、表示部１０１の点滅表示を終了させた後、処理ステップＳ７０２に戻る（ステップＳ９０２）。
これにより、操作ボタンＢを長押し操作することによって、表示部１０１にはラップデータが早送りで表示されることになるが、ベストラップのラップデータは長時間表示されると共に点滅表示されることになる。
したがって、前記第２の実施の形態と同様の効果を奏するばかりでなく、一定の特徴を有するデータをより視認しやすく表示することが可能になる。
【００３３】
前記各実施の形態は、ストップウオッチ機能付き電子時計の例で説明したが、歩数計、心拍計、脈拍計、気圧計等の各種の携帯型電子機器に適用することができる。
歩数計の場合の特定の表示データとしては、例えば、歩行距離や走行距離が最大又は最小、ピッチが最大又は最小、速度が最大又は最小、消費カロリーが最大又は最小のデータがある。心拍計の場合の特定の表示データとしては、例えば、心拍数が最大又は最小のデータがある。脈拍計の場合の特定の表示データとしては、例えば、脈拍数が最大又は最小のデータがある。気圧計の場合の特定の表示データとしては、例えば、高度が最大又は最小のデータがある。これらの携帯型電子機器は、前述した各実施の形態と同様に、前記各特定の表示データを表示した状態で停止、一時停止、あるいは一時停止した状態で点滅するように動作させることができる。また、これらの携帯型電子機器は、ストップウオッチ機能を備えた携帯型電子機器とすることができる。
【産業上の利用可能性】
【００３４】
ストップウオッチ機能付き電子時計の他、歩数計、心拍計、脈拍計、気圧計等の各種の携帯型電子機器に適用することができる。また、これらの携帯型電子機器にストップウオッチ機能を付けたストップウオッチ機能付き携帯型電子機器に利用することが可能である。
【図面の簡単な説明】
【００３５】
【図１】本発明の実施の形態に係る携帯型電子機器の外観図である。
【図２】本発明の実施の形態に係る携帯型電子機器のブロック図である。
【図３】本発明の実施の形態における操作ボタンの機能を説明する表である。
【図４】本発明の実施の形態におけるラップデータの例を示す表である。
【図５】本発明の実施の形態に係る携帯型電子機器のフローチャートである。
【図６】本発明の実施の形態に係る携帯型電子機器のフローチャートである。
【図７】本発明の第１の実施の形態に係る携帯型電子機器のフローチャートである。
【図８】本発明の第２の実施の形態に係る携帯型電子機器のフローチャートである。
【図９】本発明の第３の実施の形態に係る携帯型電子機器のフローチャートである。
【符号の説明】
【００３６】
１０１・・・表示部
１０２・・・動作モード表示
１０３・・・ファイル番号表示
１０４・・・ラップ番号表示
１０５・・・計測時間表示
２０１・・・ＣＰＵ
２０２・・・記憶部
２０３・・・発振回路
２０４・・・分周回路
Ａ２０５〜Ｄ２０８・・・操作スイッチ
Ａ〜Ｄ・・・操作ボタン
【図１】
2010048666.tif 000003
【図２】
2010048666.tif 000004
【図３】
2010048666.tif 000005
【図４】
2010048666.tif 000006
【図５】
2010048666.tif 000007
【図６】
2010048666.tif 000008
【図７】
2010048666.tif 000009
【図８】
2010048666.tif 000010
【図９】
2010048666.tif 000011